【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
出版物を表示するためにコンピュータによって実行される方法であって、
出版物のソースイメージに対して施された光学式文字認識（ＯＣＲ）処理に応じて生成された複数のテキストセグメントを含む文書を受信することと、
ユーザによって使用されるクライアント装置のディスプレイ上に１以上の前記テキストセグメントを表示することと、
表示されたテキストセグメントに対する前記ユーザによる選択に応じて、該選択されたテキストセグメントを前記ＯＣＲ処理によって生成させた元である前記ソースイメージ内のイメージセグメントを自動的に取り出すことと、
前記クライアント装置の前記ディスプレイ上で、前記選択されたテキストセグメントを前記取り出されたイメージセグメントで置き換えること、
を具備する方法。
【請求項２】
更に、前記ユーザによる前記イメージセグメントの選択に応じて、前記クライアント装置の前記ディスプレイ上で、該選択されたイメージセグメントを前記テキストセグメントで置き換えること、
を具備する請求項１の方法。
【請求項３】
前記文書は、更に、それに関連するテキストセグメントの品質を示すがらくた度スコアを含み、
前記１以上の前記テキストセグメントを表示することは、
前記関連するテキストセグメントの前記がらくた度スコアを或る閾値と比較することと、
前記閾値以下の前記がらくた度スコアに応じて、前記関連するテキストセグメントを表示することと、
前記閾値を超える前記がらくた度スコアに応じて、前記クライアント装置の前記ディスプレイ上で、前記関連するテキストセグメントを、該関連するテキストセグメントを前記ＯＣＲ処理によって生成させた元であるイメージセグメントで、自動的に置き換えること、
を含む請求項１の方法。
【請求項４】
前記文書は、前記複数のテキストセグメントを前記ソースイメージ内の複数のイメージセグメントに関連付ける位置情報を含み、
前記イメージセグメントを取り出すことは、
前記表示されたテキストセグメントについての前記文書内での位置情報を特定することと、
前記イメージセグメントを要求するリクエストであって、該特定された位置情報を含む該リクエストを送信すること、
を更に具備する請求項１の方法。
【請求項５】
前記イメージセグメントを要求する前記リクエストは遠隔のサーバーに送信され、該イメージセグメントが該遠隔のサーバーから取り出される請求項４の方法。
【請求項６】
前記位置情報は、前記表示されたテキストセグメントに含まれる文章を見せるソースイメージ内の領域を記述する情報である請求項４の方法。
【請求項７】
更に、前記表示されているテキストセグメントの前記ユーザによる選択に応じて、該表示されているテキストセグメントを前記文書に関連付けて記憶すること、
を具備する請求項１の方法。
【請求項８】
出版物を表示するために実行可能なコンピュータプログラムコードを記憶したコンピュータ読取可能な記憶媒体であって、該プログラムは、コンピュータに、
出版物のソースイメージに対して施された光学式文字認識（ＯＣＲ）処理に応じて生成された複数のテキストセグメントを含む文書を受信する手順と、
ユーザによって使用されるクライアント装置のディスプレイ上に１以上の前記テキストセグメントを表示する手順と、
表示されたテキストセグメントに対する前記ユーザによる選択に応じて、該選択されたテキストセグメントを前記ＯＣＲ処理によって生成させた元である前記ソースイメージ内のイメージセグメントを自動的に取り出す手順と、
前記クライアント装置の前記ディスプレイ上で、前記選択されたテキストセグメントを前記取り出されたイメージセグメントで置き換える手順、
を実行させることを特徴とするコンピュータ読取可能な記憶媒体。
【請求項９】
前記プログラムは、更に、前記コンピュータに、前記ユーザによる前記イメージセグメントの選択に応じて、前記クライアント装置の前記ディスプレイ上で、該選択されたイメージセグメントを前記テキストセグメントで置き換える手順、
を実行させることを特徴とする請求項８のコンピュータ読取可能な記憶媒体。
【請求項１０】
前記文書は、更に、それに関連するテキストセグメントの品質を示すがらくた度スコアを含み、
前記１以上の前記テキストセグメントを表示する前記手順は、
前記関連するテキストセグメントのための前記がらくた度スコアを或る閾値と比較する手順と、
前記閾値以下の前記がらくた度スコアに応じて、前記関連するテキストセグメントを表示する手順と、
前記閾値を超える前記がらくた度スコアに応じて、前記クライアント装置の前記ディスプレイ上で、前記関連するテキストセグメントを、該関連するテキストセグメントを前記ＯＣＲ処理によって生成させた元であるイメージセグメントで、自動的に置き換える手順、
を前記コンピュータに実行させることからなる請求項８のコンピュータ読取可能な記憶媒体。
【請求項１１】
前記文書は、前記複数のテキストセグメントを前記ソースイメージ内の複数のイメージセグメントに関連付ける位置情報を含み、
前記イメージセグメントを取り出す前記手順は、
前記表示されたテキストセグメントについての前記文書内での位置情報を特定する手順と、
前記イメージセグメントを要求するリクエストであって、該特定された位置情報を含む該リクエストを送信する手順と、
を前記コンピュータに更に実行させることからなる請求項８のコンピュータ読取可能な記憶媒体。
【請求項１２】
出版物をユーザに提供するためにコンピュータによって実行される方法であって、
出版物のソースイメージに対して施された光学式文字認識（ＯＣＲ）処理に応じて生成された複数のテキストセグメントを含む文書を受信することと、ここで、前記文書は、前記複数のテキストセグメントに対応する前記ソースイメージの複数のセグメントを特定する位置情報も含んでおり、
クライアント装置に前記文書を提供することと、
前記文書内に含まれる１テキストセグメントを前記ＯＣＲ処理によって生成させた元である１イメージセグメントの前記位置情報を含むリクエストを前記クライアント装置から受信することに応じて、該１イメージセグメントを該クライアント装置に自動的に提供すること、
を具備し、前記クライアント装置に提供された前記１イメージセグメントは、該クライアント装置のディスプレイ上で前記１テキストセグメントと置き換えられるようになっている、方法。
【請求項１３】
前記文書を受信することは、更に、
それに関連するテキストセグメントの品質を示すがらくた度スコアを生成することと、
前記関連するテキストセグメントと前記がらくた度スコアを含む前記文書を生成すること、
を含む請求項８の方法。
【請求項１４】
前記がらくた度スコアを生成することは、
１つの言語モデルに基づいて前記関連するテキストセグメント中の各文字毎の言語条件付き文字確率の１組を計算することと、
前記関連するテキストセグメント中の各文字毎の前記言語条件付き文字確率の１組に基づいて、該関連するテキストセグメントのための前記がらくた度スコアを生成すること、
を含む請求項１３の方法。
【請求項１５】
更に、前記送信する文書内に制御モジュールを含めることを具備し、該制御モジュールは、前記クライアント装置において前記文書の表示を制御し、かつ、該クライアント装置のユーザとの相互作用に応じて、前記１テキストセグメントを前記ＯＣＲ処理によって生成させた元である１イメージセグメントを要求するリクエストを自動的に生成するように、前記クライアント装置において実行されるものである、請求項１３の方法。
【請求項１６】
前記位置情報は、前記テキストセグメント内に含まれる文章を提示する前記ソースイメージ内の領域を記述するものである、請求項１２の方法。
【請求項１７】
出版物をユーザに提供するために実行可能なコンピュータプログラムコードを記憶したコンピュータ読取可能な記憶媒体であって、該プログラムは、コンピュータに、
出版物のソースイメージに対して施された光学式文字認識（ＯＣＲ）処理に応じて生成された複数のテキストセグメントを含む文書を受信する手順と、ここで、前記文書は、前記複数のテキストセグメントに対応する前記ソースイメージの複数のセグメントを特定する位置情報も含んでおり、
クライアント装置に前記文書を提供する手順と、
前記文書内に含まれる１テキストセグメントを前記ＯＣＲ処理によって生成させた元である１イメージセグメントの前記位置情報を含むリクエストを前記クライアント装置から受信することに応じて、該１イメージセグメントを該クライアント装置に自動的に提供する手順、
を実行させることを特徴とし、前記クライアント装置に提供された前記１イメージセグメントは、該クライアント装置のディスプレイ上で前記１テキストセグメントと置き換えられるようになっている、コンピュータ読取可能な記憶媒体。
【請求項１８】
前記文書を受信する前記手順は、更に、
それに関連するテキストセグメントの品質を示すがらくた度スコアを生成する手順と、
前記関連するテキストセグメントと前記がらくた度スコアを含む前記文書を生成する手順、
を前記コンピュータに実行させることを特徴とする請求項１７のコンピュータ読取可能な記憶媒体。
【請求項１９】
前記がらくた度スコアを生成する前記手順は、
１つの言語モデルに基づいて前記関連するテキストセグメント中の各文字毎の言語条件付き文字確率の１組を計算する手順と、
前記関連するテキストセグメント中の各文字毎の前記言語条件付き文字確率の１組に基づいて、該関連するテキストセグメントのための前記がらくた度スコアを生成する手順、
を前記コンピュータに実行させることを特徴とする請求項１８のコンピュータ読取可能な記憶媒体。
【請求項２０】
更に、前記送信する文書内に制御モジュールを含める手順を前記コンピュータに実行させ、該制御モジュールは、前記クライアント装置において前記文書の表示を制御し、かつ、該クライアント装置のユーザとの相互作用に応じて、前記１テキストセグメントを前記ＯＣＲ処理によって生成させた元である１イメージセグメントを要求するリクエストを自動的に生成するように、前記クライアント装置において実行されるものである、請求項１８のコンピュータ読取可能な記憶媒体。
【請求項２１】
前記取り出されたイメージセグメントが、前記クライアント装置の前記ディスプレイに基づいて調整される、請求項１の方法。
【請求項２２】
前記取り出されたイメージセグメントのサイズ及び解像度の少なくとも一方が、前記クライアント装置の前記ディスプレイの解像度に基づいて調整される、請求項２１の方法。